(57)【要約】【解決手段】  厚板ヒノキ台座２の下部をななめにきりＧＬになじむようにカンナでけずり、前後の両側に、すべり止めスポンジのり付テープ７を１０ｃｍ位に切ってはりつけてすべらないようにし、上部にほぐしタケ３をオノでわり木口を平にカンナをかけて、各オスのダボー８が入るメス穴を木工ドリルであけて固定のりずけする。そして、ツボもみ棒１の頭を親ゆびのように丸みをつけ、ゴムサック４をかぶせる。【実用新案登録請求の範囲】
【請求項１】
イ）厚板ヒノキ台座２の手前側の下をななめにけずり後側のななめ具棒４もＧＬになじむようにけずり両側に、すべり止めスポンジのり付テープ７をはり付けてすべらないようにする。
ロ）厚板ヒノキ台座２に各メスのダボー穴を木工ドリルであけて、ななめ具棒４、ほぐしタケ３、ツボもみ棒１にも各ふとさのメス穴をあけてダボー８を入れて固定のり付けにする。
ハ）ツボもみ棒１の先を親ゆびのように丸みをつけ、ゴムサックをかぶせる。
ニ）イスにすわり、ツボもみ足６をツボもみ棒１で数分もんだら、両側のほぐしタケ部５でほぐし足５′をもみほぐす。
【考案の詳細な説明】
【技術分野】
【０００１】  本考案は、ヒノキ、タケを使用した足のうらツボをもみほぐすためのマッサージ具に関するものである。
【背景技術】
【０００２】  タケにのり足のうらをこすってマッサージするとか、スリッパサンダル全体にイボを無数にもうけた物などがありました。
【考案の開示】
【考案が解決しようとする課題】
【０００３】  しかしながら、ただ足のうらをタケにこすっているだけでは、マッサージの効果もすくなく、イボスリッパサンダルではすこしいたいです。
【課題を解決するための手段】
【０００４】  本考案は、
イ）厚板ヒノキ台座２の手前側をななめに１ｃｍ〜１．５ｃｍ位けずり後側のななめ具棒４もＧＬになじむようにけずり両側に、すべり止めスポンジのり付テープ７を１０ｃｍ位はりつけてすべらないようにする。
ロ）厚板ヒノキ台座２に、各メスの穴を木工ドリルであけ、ななめ具棒４、ほぐしタケ３、ツボもみ棒１：にもメス穴を木工ドリルであけてダボー８を入れてのり付けにする。
ハ）ツボもみ棒１の先を親ゆびのように丸みをつけ、ゴムサックをかぶせる。
ニ）イスにすわりツボもみ足６をツボもみ棒１で数分もんだら、両側のほぐしタケ部５で〔図４〕のようにほぐし足５′のようにもみほぐす。
ホ）足のうらツボをツボもみ棒１でもめるので効果も大です、又、ツボもみ棒はダボー８を長くすればのり付けにしなくてもよく、多くの人が使用する所ではツボもみ棒１にゴムサックをかぶせるようにする。
これにより上記課題を解決するものである。
【考案を実施するための最良の形態】
【０００５】図１に示すように、厚板ヒノキ台座２はフシがある安価な物をつかいななめにしてほぐしタケ３を、台座２に３ｍｍのダボー８で固定のり付けにする。その時タケは半分にオノでわり木口を水平にするためにカンナか電動機械でけずり、ツボもみ棒１がはいるぐらいの２４ｍｍ木工ドリルでほぐしタケ３のふしを中心に１５ｃｍぐらいの間あいをとり穴をあける。
次に、図２に示すようにＧＬになじむように厚板ヒノキ台座２の手前側を１ｃｍぐらいけずり後側にななめ具棒４をタボー８で３ヵ所に穴をあけてそのメス穴に入れてのり付けして固定し、市販されているすべり止めスポンジのり付テープ７を１０ｃｍ両側にはりつけて床になじませるとクッシヨンアブソーバにもなる。【０００６】図３に示すように、ほぐしタケ３のフシ目をまんなかにして固定しデザイン性を高めるために両側を「あがり八の字」に、すこしななめに切る。そして、ツボもみ棒１の頭は親ゆびににせて丸みをつける。【０００７】上記工程により完成した、足のうらツボマッサージ器はイスにすわり図４のように足のうらのツボを本によりおぼえるかして集中的にするか、きもちのよい所を１分ぐらいおこなうかしたら両側のほぐしタケ部５で、ほぐし足５′のようにこすってほぐす。
【考案の効果】
【０００８】本考案に係る足のうらツボマッサージ器は、足のうらツボを親ゆびでもんでやっていると、気持ちよくてねむってしまうほどで、又、イスにすわてもむので体、足などにふたんがなく本体がななめになっているので足にツボもみ棒１が直角にあたるので、マッサージ師にもんでもらっているようです。そして、厚板ヒノキ台座２はフシのあるヒノキを使用するので安価で、タケもただか安価に手にはいり、作る人も図面を見ながら、ダボー８の木工ドリルでの穴あけもすぐになれて作業できるようになり、日曜大工でもできるぐらいかんたんです。しかも実用性にも優れたものである。
【図面の簡単な説明】
【０００９】
【図１】本考案に係る足のうらツボマッサージ器の正面図である。
【図２】本考案に係る足のうらツボマッサージ器の側面図である。
【図３】本考案に係る足のうらツボマッサージ器の上面図である。
【図４】本考案に係る足のうらツボマッサージ器の足のうらの実施図である。
【符号の説明】
【００１０】１…ツボもみ棒
２…厚板ヒノキ台座
３…ほぐしタケ
４…ななめ具棒
５…ほぐしタケ部
５′…ほぐし足
６…ツボもみ足
７…すべり止めスポンジのり付テープ
８…各ダボー
【図１】
0003125761.tif 000002
【図２】
0003125761.tif 000003
【図３】
0003125761.tif 000004
【図４】
0003125761.tif 000005
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
イ）厚板ヒノキ台座２の下部をななめにきりカンナをかけ傾斜をつけて前後にすべり止めスポンジのり付テープ７をはりつけてすべらないようにする。
ロ）厚板ヒノキ台座２に、各メスのダボー穴を木工ドリルであけてほぐしタケ３、ツボもみ棒１にも各ふとさのメス穴をあけてダボー８を入れて固定のり付けにする。
ハ）ツボもみ棒１の先を親ゆびのように丸みをつけゴムサック４をかぶせる。
【手続補正３】
【補正対象書類名】明細書
【補正対象項目名】０００４
【補正方法】変更
【補正の内容】
【０００４】  イ）厚板ヒノキ台座２の下部をななめにきりカンナをかけ傾斜をつけて前後にすべり止めスポンジのり付テープ７を１０ｃｍ位に、はりつけてすべらないようにする。
ロ）厚板ヒノキ台座２に、各メス穴を木工ドリルであけて、ほぐしタケ３、ツボもみ棒にもメス穴をあけてダボー８を入れて固定のり付けにする。
ハ）ツボもみ棒１の先を親ゆびのように丸みをつけてゴムサック４をかぶせる。
ホ）足のうらツボを、ツボもみ棒１でもめるので効果も大です。又、ツボもみ棒１はダボー８を長くすればのり付けにしなくてもよく、多くの人が使用する所などではゴムサック４をかぶせてもよい。
【手続補正４】
【補正対象書類名】明細書
【補正対象項目名】０００５
【補正方法】変更
【補正の内容】
【０００５】  図１に示すように、厚板ヒノキ台座２は、フシがある安価な物をつかいななめにしてほぐしタケ３と両方に３ｍｍ位のメス穴をあけダボー８を入れて固定のり付けする。その前にほぐしタケ３は半分にオノでわり木口を水平にするためにカンナ、電動カンナでけずり水平にし上部に、ツボもみ棒１がはいる２４ｍｍ位の穴を木工ドリルでほぐしタケ３のふしを中心に１５ｃｍ位の間合いをとりメス穴をあける。図２に示すようにＧＬになじむように厚板ヒノキ台座２の下部前後に市販されているすべり止めスポンジのり付テープ７を両側１０ｃｍ位にはり付けて床になじませるとクッション性が高まる。
【手続補正５】
【補正対象書類名】明細書
【補正対象項目名】００１０
【補正方法】変更
【補正の内容】
【００１０】      １・・・ツボもみ棒
２・・・厚板ヒノキ台座
３・・・ほぐしタケ
４・・・ゴムサック
５・・・ほぐしタケ部
５′・・・ほぐし足
６・・・ツボもみ足
７・・・すべり止めスポンジのり付テープ
８・・・各ダボー
【手続補正６】
【補正対象書類名】図面
【補正対象項目名】全図
【補正方法】変更
【補正の内容】
【図１】
0003125761.tif 000006
【図２】
0003125761.tif 000007
【図３】
0003125761.tif 000008
【図４】
0003125761.tif 000009
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
イ）厚板ヒノキ台座２の下部を傾斜にし、前後にすべり止めスポンジのり付テープ７をはりつけるように設ける、
ロ）厚板ヒノキ台座２に、各メスダボー  を木工ドリルであけてほぐしタケ３、ツボもみ棒１にも各ふとさの穴をあけてダボー８を入れて固定のり付けするよう設ける。
ハ）そして、ツボもみ棒１の先を親ゆびのように丸みをつけゴムサック４をかぶせるよう設けるようにする、
以上のイ）、ロ）、ハ）からなる  足のうらツボマッサージ器。
【手続補正書】
【提出日】平成18年6月12日(2006.6.12)
【手続補正１】
【補正対象書類名】実用新案登録請求の範囲
【補正対象項目名】全文
【補正方法】変更
【補正の内容】
【実用新案登録請求の範囲】
【請求項１】
ヒノキ、タケからなる台座に親ゆびぐらいの棒を取り付けたマッサージ器において、
イ）厚板ヒノキ台座２の下部をななめにきりカンナをかけ傾斜をつけて前後にすべり止めスポンジのり付テープ７をはりつけてすべらないように設け、
ロ）厚板ヒノキ台座２に各メスのダボー穴を木工ドリルであけてほぐしタケ３、ツボもみ棒１にも各ふとさのメス穴をあけてダボー８を穴の中に入れて固定のり付けして設け、
ハ）ツボもみ棒１の先を親ゆびのように丸みをつけゴムサック４をかぶせるように設けるようにする、
以上からなる足のうらツボマッサージ器。